(57)【要約】【課題】  図柄フィルムをリールの表面に貼付する場合、複数の取り付け方向に対応でき、部品の種類を減らしてコストを低減できるようにする。【解決手段】  パチンコ機やアレンジボール機等の遊技機に関し、リール１６には図柄フィルム（例えばシール等）を一方向に貼付する起点に厚み逃げ用の凹部５４ａ（第１窪み部に相当）を備えるとともに、図柄フィルムを一方向とは逆方向に貼付する起点に厚み逃げ用の凹部５８ａ（第２窪み部に相当）を備える。凹部５４ａを備えたことで形成される壁部５４（第１起立壁に相当）および凹部５８ａを備えたことで形成される壁部５８（第２起立壁に相当）のうちでいずれか一方の壁部に対して図柄フィルムの一端面を突き合わせて、図柄フィルムをリールの表面に貼付する構成とする。複数の取り付け方向に対応できてリールを共通化できるので、部品の種類を減らしてコストを低減できる。【選択図】        図３
2005143885.tif 000002
【特許請求の範囲】
【請求項１】
図柄を表した帯状の図柄フィルムと、当該図柄フィルムを表面に貼付するリールと、当該リールを回転させる回転手段とを備え、当該回転手段によって前記リールを回転させることで変動表示を実現するように構成した遊技機であって、
前記リールには、前記図柄フィルムを貼付する複数の起点にそれぞれ図柄フィルム厚み逃げ用の窪み部を備え、
前記複数の起点に備えた窪み部のうちでいずれか一の窪み部にかかる起立壁に対して前記図柄フィルムの一端面を突き合わせて、前記図柄フィルムを前記リールの表面に貼付する構成とした遊技機。
【発明の詳細な説明】
【技術分野】
【０００１】
本発明は、回転手段によってリールを回転させることで変動表示を実現するように構成した遊技機に関する。
【背景技術】
【０００２】
遊技機の一つであるスロットマシンでは、フィルム（特許文献１ではシール）が剥がれにくくするために、リール（特許文献１ではドラムリール）の所定回転方向とは逆方向にフィルムを貼付するための貼付起点となる位置に、フィルム厚み逃げ用の窪み部を備え、当該窪み部の起立壁に対してフィルムの一端面を突き合わせて、フィルムをリールの表面に貼付する構造が開示されている（例えば特許文献１を参照）。
つまりこのリールは、一定方向の回転に対してフィルムが剥がれにくくなるように方向性を有している。
【特許文献１】特開２００１−２９３１２７号公報（第４−５頁，図５，図７）
【発明の開示】
【発明が解決しようとする課題】
【０００３】
その方向性のために、駆動機構等がリールの一方に突出するような、リール側面に突出部分を有するリール表示器において、同じリール表示器を、突出部分が逆となる組み合わせて使用するような場合、一方のリールは、本来のリール回転方向とは逆方向の回転で使用せざるを得ない。そのためフィルムの剥がれ等を防止するためには、異なる種類のリール表示器を別途作製せねばならず、部品点数やコストの増加を招いていた。
本発明はこのような点に鑑みてなしたものであり、複数の回転方向で使用でき、部品の種類を減らしてコストを低減させ得る遊技機を提供することを目的とする。
【課題を解決するための手段】
【０００４】
（１）課題を解決するための手段（以下では単に「解決手段」と呼ぶ。）１は、図柄を表した帯状の図柄フィルムと、当該図柄フィルムを表面に貼付するリールと、当該リールを回転させる回転手段とを備え、当該回転手段によって前記リールを回転させることで変動表示を実現するように構成した遊技機であって、
前記リールには、前記図柄フィルムを一方向に貼付する起点に図柄フィルム厚み逃げ用の第１窪み部を備えるとともに、前記図柄フィルムを前記一方向とは逆方向に貼付する起点に図柄フィルム厚み逃げ用の第２窪み部を備え、
前記第１窪み部を備えたことによって形成される第１起立壁および前記第２窪み部を備えたことによって形成される第２起立壁のうちでいずれか一方の起立壁に対して前記図柄フィルムの一端面を突き合わせて、前記図柄フィルムを前記リールの表面に貼付する構成としたことを要旨とする。
【０００５】
解決手段１に記載した用語は、以下のように解釈する。当該解釈は特許請求の範囲および明細書の記載についても同様である。
（Ａ）「図柄フィルム」は図柄を表すことが可能な部材であればよく、例えばフィルム，シート，シール，紙等が該当する。
（Ｂ）「起立壁に対して図柄フィルムの一端面を突き合わせ」る形態には、起立壁と図柄フィルムの一端面との間に隙間を設けるか否かを問わない。
【０００６】
解決手段１によれば、各々の窪み部にかかる起立壁に対して図柄フィルムの一端面を突き合わせて貼付するので、リールの表面に貼付して重複する部位が生じる場合には、当該部位がリールの外周側に突出することを極力抑えられて遊技者等に見にくくできる。一方向に貼付する場合には第１起立壁に対して図柄フィルムの一端面を突き合わせればよく、逆方向に貼付する場合には第２起立壁に対して図柄フィルムの一端面を突き合わせればよい。したがって、リール（部品）を共通化して複数の回転方向で使用できるので、部品の種類を減らしてコストを低減させることができる。
また、起立壁は図柄フィルムを貼付する際の位置決め手段となるので、図柄フィルムをリールに貼付するのが容易にかつ正確にできる。重複部位がリールの外周側に突出することが極力抑えられるので、図柄フィルムの端面に生ずる空気抵抗を減らすことができる。そのために、リールをスムーズに回転させることができ、図柄フィルムを剥がれにくくすることができる。
【０００７】
（２）解決手段２は、解決手段１に記載した遊技機であって、第１起立壁および第２起立壁の高さを図柄フィルムの厚みとほぼ同じに構成したことを要旨とする。
【０００８】
解決手段２によれば、各起立壁の高さを図柄フィルムの厚みとほぼ同じにしたので、図柄フィルムの両端部の継ぎ目が目立たなくなる。こうして図柄フィルムの継ぎ目が目立たなくなれば、遊技者の技量によってリールの回転を停止可能な遊技機では図柄フィルムの継ぎ目が目印とならないので、押し目を行い難くすることができる。
なお、起立壁を階段状に形成すれば、いずれか一の階段部分に突き合わせることにより複数の厚みの図柄フィルムに対応させることも可能になる。
【０００９】
（３）解決手段３は、解決手段１または２に記載した遊技機であって、第１窪み部および第２窪み部は、回転手段が原点位置になったときにリールに貼付した図柄フィルムに表された所定の図柄がいずれも所定位置に表示される位置の前記リールに備える構成としたことを要旨とする。
【００１０】
解決手段３によれば、単に起立壁に対して図柄フィルムの一端面を突き合わせて図柄フィルムをリールの表面に貼付するだけで、当該リールを停止させる際に回転手段を原点位置にすれば所定の図柄（例えば図柄「７」など）を所定位置（例えば上中下の三段表示における中段など）に表示できる。したがって、貼付作業を簡単に行えるだけでなく、リールの回転制御もまた簡単に行えるようになる。
【００１１】
（４）解決手段４は、解決手段１から３のいずれか一項に記載した遊技機であって、図柄フィルムは、リールの表面に貼付して重複する部位の厚みを他の部位よりも薄く形成したことを要旨とする。
【００１２】
解決手段４によれば、リールの表面に貼付して重複する部位は窪み部に生ずるが、当該重複部位に対応した図柄フィルムを他の部位よりも薄く形成すれば、重複部位が相殺されて外周面がより滑らかになる。したがって、遊技者等から見れば継ぎ目をより目立たなくすることができる。
【００１３】
（５）解決手段５は、図柄を表した帯状の図柄フィルムと、当該図柄フィルムを表面に貼付するリールと、当該リールを回転させる回転手段とを備え、当該回転手段によって前記リールを回転させることで変動表示を実現するように構成した遊技機であって、
前記リールには外周面の所定範囲で凹ませた窪み部を備え、
前記窪み部を備えたことによって前記所定範囲の一端側に形成される第１起立壁および前記所定範囲の他端側に形成される第２起立壁のうちでいずれか一方の起立壁に対して前記図柄フィルムの一端面を突き合わせて、前記図柄フィルムを前記リールの表面に貼付する構成としたことを要旨とする。
【００１４】
解決手段５によれば、リールの外周面には所定範囲に窪み部があり、当該窪み部を備えたことによって二つの起立壁（第１起立壁および第２起立壁）が形成される。これらの二つの起立壁は、外周面の所定範囲における両端（一端側と他端側）に形成されることから、互いに向き合う構造となる。そのため、一方側の起立壁に対して図柄フィルムの一端面を突き合わせて図柄フィルムを貼付する場合と、他方側の起立壁に対して図柄フィルムの一端面を突き合わせて図柄フィルムを貼付する場合とでは貼付する方向が互いに逆向きになる。一方向に貼付したい場合には例えば第１起立壁に対して図柄フィルムの一端面を突き合わせればよく、逆方向に貼付したい場合には例えば第２起立壁に対して図柄フィルムの一端面を突き合わせればよい。したがって、リール（部品）を共通化して複数の回転方向で使用できるので、部品の種類を減らしてコストを低減させることができる。
なお、図柄フィルムの貼付が容易にかつ正確にできる点や、図柄フィルムの端面に生ずる空気抵抗を減らすことができる点、図柄フィルムを剥がれにくくできる点などについては、上述した解決手段１と同様である。また、解決手段２から４までを当該解決手段５に従属させることができ、この場合の作用効果も同じように得られる。
【００１５】
（６）解決手段６は、図柄を表した帯状の図柄フィルムと、当該図柄フィルムを表面に貼付するリールと、当該リールを回転させる回転手段とを備え、当該回転手段によって前記リールを回転させることで変動表示を実現するように構成した遊技機であって、
前記リールには外周面の所定範囲で突起させた突起部を備え、
前記突起部を備えたことによって前記所定範囲の一端側に形成される第１起立壁および前記所定範囲の他端側に形成される第２起立壁のうちでいずれか一方の起立壁に対して前記図柄フィルムの一端面を突き合わせて、前記図柄フィルムを前記リールの表面に貼付する構成としたことを要旨とする。
【００１６】
解決手段６によれば、リールの外周面には所定範囲に突起部があり、当該突起部を備えたことによって二つの起立壁（第１起立壁および第２起立壁）が形成される。これらの二つの起立壁は、外周面の所定範囲における両端（一端側と他端側）に形成されることから、互いに背く構造となる。そのため、一方側の起立壁に対して図柄フィルムの一端面を突き合わせて図柄フィルムを貼付する場合と、他方側の起立壁に対して図柄フィルムの一端面を突き合わせて図柄フィルムを貼付する場合とでは貼付する方向が互いに逆向きになる。一方向に貼付したい場合には例えば第１起立壁に対して図柄フィルムの一端面を突き合わせればよく、逆方向に貼付したい場合には例えば第２起立壁に対して図柄フィルムの一端面を突き合わせればよい。したがって、リール（部品）を共通化して複数の回転方向で使用できるので、部品の種類を減らしてコストを低減させることができる。
なお、図柄フィルムの貼付が容易にかつ正確にできる点や、図柄フィルムの端面に生ずる空気抵抗を減らすことができる点、図柄フィルムを剥がれにくくできる点などについては、上述した解決手段１と同様である。また、解決手段２から４までを当該解決手段６に従属させることができ、この場合の作用効果も同じように得られる。
【発明の効果】
【００１７】
本発明によれば、一方の窪み部にかかる起立壁に対して図柄フィルムの一端面を突き合わせてリールに貼付すればよい。したがって、リールを共通化して複数の回転方向で使用できるので、部品の種類を減らしてコストを低減させることができる。
【発明を実施するための最良の形態】
【００１８】
次に、本発明を実施するための最良の形態について、実施例に従って説明する。
【実施例１】
【００１９】
実施例１は遊技機の一つであるパチンコ機に本発明を適用し、一方向に図柄フィルムを貼付でき、かつ逆方向にも図柄フィルムを貼付できるようにリールを構成した例である。当該実施例１は、図１〜図６を参照しながら説明する。
【００２０】
まず図１には、パチンコ機に備える遊技盤１０の外観を正面図で示す。当該遊技盤１０は、図柄を含めた遊技に関する情報を表示する液晶表示装置１２や、各々が複数の図柄を表すリール１４，２０，２６，３２，３８，４４、各リールに表された図柄を表示する表示窓１６，２２，２８，３４，４０，４６、図柄の変動表示を実現するために各リールを個別に回転させるモータ１８，２４，３０，３６，４２，４８、その他に始動口，入賞口（大入賞口を含む），ゲート，障害釘，風車器等を適宜に配置する。
図柄を含めた遊技に関する情報を表示する装置には、上述した液晶表示装置１２に代えて、７セグメントＬＥＤ等のようなセグメント素子を用いた表示装置，プラズマ放電を利用した表示装置，ＬＥＤを縦横に配列した表示装置などを用いてもよい。
【００２１】
図示するように６つのリール１４，２０，２６，３２，３８，４４は、液晶表示装置１２の図面右側に３つのリール１４，２０，２６を縦列させて配置し、同じく液晶表示装置１２の図面左側に３つのリール３２，３８，４４を縦列させて配置する。リール１４，２０，２６とリール３２，３８，４４とは、液晶表示装置１２に近隣して配置するために向きが互いに逆になっている。したがって、モータ１８，２４，３０とモータ３６，４２，４８との取り付け向きも互いに逆になっている。リール１４に表された図柄は表示窓１６から見ることができる。同様にしてリール２０，２０，２６，３２，３８，４４にそれぞれ表された図柄は、順番に表示窓２２，２８，３４，４０，４６から個別に見ることができる。なお、モータ１８，２４，３０，３６，４２，４８はそれぞれ回転手段に相当し、例えば正逆回転が可能なステッピングモータを用いる。
【００２２】
次にリールの外観および構造について、図２，図３を参照しながら説明する。なお、６つのリール１４，２０，２６，３２，３８，４４は同一の外観および構造をなしているので、ここではリール１４を代表して説明する。まず、リール１４の外観を表す図２には、正面図を図２（Ａ）に表し、図２（Ａ）の図面左側から見た左側面図を図２（Ｂ）に表し、同じく図２（Ａ）の図面右側から見た右側面図を図２（Ｃ）に表し、斜視図を図２（Ｄ）に表す。また、リール１４の構造を表す図３には、正面図を図３（Ａ）に表し、当該図３（Ａ）におけるＢ−Ｂ線断面図を図３（Ｂ）に表す。図３（Ｂ）では構造を分かり易くするために、一部分を拡大して円内に図示している。
【００２３】
図２に示すリール１４は、円筒状に形成したリール本体５２を基体として、ガイド部５０，５４や側板６２等を備える。ガイド部５０，５４は、リール本体５２の両端部において径方向（外側）に突起させており、リール本体５２の外周部に貼付するシールをガイドする役割を果たす。側板６２はモータの回転軸（または動力伝達機構）に接続して動力の伝達を受けるための接続部５６を有し、軽量化のために一部に穴を設けている。接続部５６はモータから動力の伝達を確実に受け得る形状、例えば円筒状の一部を直線状に切り欠いた形状（言い換えれば文字「Ｄ」と同様な断面形状）で形成する。そして、接続部５６がぐらつかないように支えて補強するために、接続部５６の外周面と側板６２との双方にはそれぞれが起立させた複数枚（本例では４枚）の補強板５８を接合している。
【００２４】
図３において、リール本体５２にはさらにシールを一方向に貼付する起点に当該シール厚み逃げ用の凹部６０ａを備え、シールを逆方向に貼付する起点に当該シール厚み逃げ用の凹部６４ａを備える。凹部６０ａは第１窪み部に相当し、凹部６４ａは第２窪み部に相当する。これらの凹部６０ａ，６４ａは、モータの回転軸が原点位置（例えば回転角が０度）になったとき、リールに貼付したシールに表された特定の図柄（例えば赤色の図柄「７」等）がいずれも表示窓１６，２２，２８，３４，４０，４６（図１を参照）に表示されるような位置（すなわちリール本体５２の外周部）に備えるのが望ましい。
【００２５】
こうして凹部６０ａ，６４ａを備えたリール本体５２には、凹部６０ａを備えたことによって形成される壁部６０と、凹部６４ａを備えたことによって形成される壁部６４とを有することになる。壁部６０は第１起立壁に相当し、壁部６４は第２起立壁に相当する。壁部６０，６４の高さはシールの厚みとほぼ同じか高くする。ただし、遊技者等がシールの両端部の継ぎ目を目立たなくするには、壁部６０，６４の高さをシールの厚みとほぼ同じ高さにするのが望ましい。リールの中心軸からリール本体５２の外周面までの距離を単に「半径」と呼ぶことにすると、例えば基準となる半径Ｒｓに対して、壁部６０，６４の最深部までの半径Ｒａ（ただしＲａ＜Ｒｓ）とする。このとき、半径Ｒａとなる凹部６０ａ，６４ａの最深部（すなわち壁部６０，６４）から、当該最深部から角度θａだけ離れて半径Ｒｓとなる位置までの間は、半径が次第に大きくなるように外周面を形成する。
【００２６】
図１に示すように、液晶表示装置１２の図面右側に配置するリール１４，２０，２６と、同じく液晶表示装置１２の図面左側に配置するリール３２，３８，４４とについて、各リールをモータに接続する例について、図４を参照しながら説明する。当該図４では、リール１４をモータ１８に接続する例を図４（Ａ）に示し、リール３２をモータ３６に接続する例を図４（Ｂ）に示す。なお、リール２０，２６，３８，４４をそれぞれ順番にモータ２４，３０，４２，４８に接続する例の図示は省略する。
【００２７】
図４（Ａ）において破線で示すように、モータ１８の回転軸１８ａをリール１４の接続部５６に差し込むようにして接続する。この接続により、回転軸１８ａの回転に伴ってリール１４が所定方向（本例では矢印Ｄ２で示す方向）に回転するようになる。リール２０の接続部５６をモータ２４の回転軸２４ａに接続する場合と、リール２６の接続部５６をモータ３０の回転軸３０ａに接続する場合も同様である。
一方、図４（Ｂ）において破線で示すように、モータ３６の回転軸３６ａをリール３２の接続部５６に差し込むようにして接続する。この接続により、回転軸３６ａの回転に伴ってリール３２が上記リール１４とは逆方向（本例では矢印Ｄ４で示す方向）に回転するようになる。リール３８の接続部５６をモータ４２の回転軸４２ａに接続する場合と、リール４４の接続部５６をモータ４８の回転軸４８ａに接続する場合も同様である。
【００２８】
図柄フィルムに相当し、各リールに貼付するシール６６の構成例を図５に示す。シール６６の正面図を図５（Ａ）に示し、側面図を図５（Ｂ）に示す。図５（Ａ）から明らかなように、シール６６には複数の図柄６８を表す。本例では、色彩を異ならせた４つの図柄６８を配列する（図面上では色彩の違いに合わせて塗りつぶしやハッチ等を異ならせて施している）。これに対してシール６６の裏面にはリールに貼付するための粘着剤を施す。帯状に形成したシール６６の長辺側はリール本体５２の外周よりもやや長くし、同じく短辺側は図２に示すガイド部５０，５４の相互間距離よりもやや短くする。
【００２９】
シール６６をリール本体５２の外周部に貼付した例について、図６を参照しながら説明する。凹部６０ａにかかる壁部６０に突き合わせて貼付した例を図６（Ａ）に示し、凹部６４ａにかかる壁部６４に突き合わせて貼付した例を図６（Ｂ）に示す。
【００３０】
図６（Ａ）において、シール６６の一端面６６ａを壁部６０に突き合わせたうえで、一方向（本例では矢印Ｄ６で示す断面右回り）に沿ってリール本体５２の外周部に貼付してゆく。貼付し続けてゆくと、シール６６の他端面６６ｂはリール本体５２の外周部を一周して壁部６０を少し超えた位置になる。よってシール６６の一部が重複し、一端面６６ａ側のシール６６は凹部６０ａに貼付され、しかも壁部６０の高さはシール６６の厚みとほぼ同じであるので、壁部６０を跨ぐ部位には段差が生じない。したがって、シール６６の重複部はリール本体５２の外周側に全く突出しないので、遊技者が外側から見た場合には他端面６６ｂを視認できたとしても、シール６６の重複による段差や突起が目立たなくなる。図６（Ａ）のようにシール６６を貼付したリールは、例えば図１に示すリール１４，２０，２６として用いる。リールの回転方向は、シール６６を貼付する方向とは逆方向となるようにモータの回転制御を行う。こうすれば、他端面６６ｂによる空気抵抗を受けにくくなるので、シール６６の端部が剥がれにくくなる。
【００３１】
図６（Ｂ）において、シール６６の一端面６６ａを壁部６４に突き合わせたうえで、上記図６（Ａ）で貼付した方向とは逆方向（本例では矢印Ｄ８で示す断面左回り）に沿ってリール本体５２の外周部に貼付してゆく。貼付し続けてゆくと、シール６６の他端面６６ｂはリール本体５２の外周部を一周して壁部６４を少し超えた位置になる。図６（Ｂ）のようにシール６６を貼付したリールは、例えば図１に示すリール３２，３８，４４として用いる。壁部６４を跨ぐ部位に段差が生じない点や、シール６６の重複部であっても段差や突起が目立たなくなる点、リールの回転方向によってはシール６６の端部が剥がれにくくなる点などの作用効果については、上述した図６（Ａ）の例と同様である。
【００３２】
上述した構成において、制御基板（例えばメイン制御基板やサブ制御基板等）がモータ１８，２４，３０，３６，４２，４８の回転をそれぞれ独立して制御することによってリール１４，２０，２６，３２，３８，４４を回転させ、表示窓１６，２２，２８，３４，４０，４６における図柄の変動表示を実現することができる。
【００３３】
上述した実施例１によれば、以下に示す各効果を得ることができる。
（ａ１）リール１４，２０，２６，３２，３８，４４には、シール６６を一方向に貼付する起点にシール厚み逃げ用の凹部６０ａを備えるとともに、シール６６を一方向とは逆方向に貼付する起点にシール厚み逃げ用の凹部６４ａを備えた｛図２，図３を参照｝。また、凹部６０ａを備えたことによって形成される壁部６０および凹部６４ａを備えたことによって形成される壁部６４のうちでいずれか一方の壁部に対してシール６６の一端面を突き合わせて、シール６６をリールの表面に貼付する構成とした｛図６を参照｝。言い換えれば、一方向に貼付する場合には壁部６０に対してシール６６の一端面６６ａを突き合わせればよく、逆方向に貼付する場合には壁部６４に対してシール６６の一端面６６ａを突き合わせればよい。各々の凹部６０ａ，６４ａに対してシール６６の一端面６６ａを突き合わせて貼付するので、シール６６の両端部の継ぎ目が目立たなくなる。したがって、リール（部品）を共通化して複数の回転方向で使用できるので、部品の種類を減らしてコストを低減できる。
また、凹部６０ａ，６４ａはシール６６を貼付する際の位置決め手段となるので、シール６６をリールに貼付するのが容易にかつ正確にできる。重複部位がリールの外周側に突出することが極力抑えられるので、シール６６の端面（他端面６６ｂ）に生ずる空気抵抗を減らすことができる。そのために、リールをスムーズに回転させることができ、シール６６を剥がれにくくすることができる。
【００３４】
（ａ２）壁部６０および壁部６４の高さをシール６６の厚みとほぼ同じに構成したので｛図６を参照｝、シール６６の両端部（一端面６６ａおよび他端面６６ｂ）の継ぎ目がより目立たなくなる。遊技者の技量によってリールの回転を停止可能な遊技機では図柄フィルムの継ぎ目が目印とならないので、押し目を行い難くすることができる。
【００３５】
（ａ３）凹部６０ａ，６４ａは、モータ１８，２４，３０，３６，４２，４８が原点位置になったときにリールに貼付したシール６６に表された所定の図柄（例えば赤色の図柄「７」等）がそれぞれ表示窓１６，２２，２８，３４，４０，４６に表示される位置に対応したリールの外周部に備える構成とした｛図２，図３を参照｝。単に壁部６０，６４に対してシール６６の一端面を突き合わせてシール６６をリールの表面に貼付するだけで、当該リールを停止させる際にモータ１８，２４，３０，３６，４２，４８を原点位置に制御すれば所定の図柄をそれぞれ表示窓１６，２２，２８，３４，４０，４６に表示できる。したがって、貼付作業が簡単になり、リールの回転制御もまた簡単になる。
【実施例２】
【００３６】
実施例２は実施例１と同様にパチンコ機に本発明を適用した例であって、一方向と逆方向とのいずれかに向けて図柄フィルムを貼付できる構成をリールに複数箇所設けた例である。当該実施例２は、図５，図７および図８を参照しながら説明する。なおパチンコ機にかかる遊技盤１０の構成等は実施例１と同様であり、図示および説明を簡単にするために実施例２では実施例１と異なる点について説明する。よって実施例１で用いた要素と同一の要素には同一の符号を付して説明を省略する。
【００３７】
図５（Ｃ）に示すシール６６は、図５（Ａ）および図５（Ｂ）に示したシール６６について、一部分の厚みを他の部分と異ならせた例である。すなわち、一方側の端面（例えば他端面６６ｂ）に近い部位６６ｃについては、断面が斜めになるように厚みを変化させるようにシール６６を構成する。なお図５（Ｃ）では、比較しやすいように図５（Ｂ）に示したシール６６を二点鎖線で示す。
【００３８】
図７には、図２，図３に代えて構成したリール１４を示す。当該図７に示すリール１４が図２，図３に示すリール１４と異なるのは、壁部６０に加えて当該壁部６０と同様に構成した壁部７０を備えるとともに、壁部６４に加えて当該壁部６４と同様に構成した壁部７２を備えた点である。言い換えれば、図３（Ｂ）に示す凹部６０ａに相当する凹部を別個に備えたことによって壁部７０が形成され、同じく図３（Ｂ）に示す凹部６４ａに相当する凹部を別個に備えたことによって壁部７２が形成される。リール本体５２の外周部に備える壁部７０，７２の各位置を調整すれば、壁部７０にシールを突き合わせて貼付した場合と、壁部７２にシールを突き合わせて貼付した場合とで、モータ１８の回転軸１８ａを原点位置に制御したときに、表示窓１６に表示する図柄を異ならせることができる。
壁部７０，７２の高さは、複数のシール６６の厚みに対応するために、壁部６０，６４の高さと異ならせるのが望ましい。また、壁部７０と壁部７２とで高さを異ならせてもよく、壁部７０，７２，６０，６４の全てで高さを異ならせてもよい。こうすれば対応可能な厚みの種類が増える。
【００３９】
図５（Ｃ）に示す部位６６ｃを有するシール６６を用いて、２つの壁部６０，７０のうちで壁部６０に突き合わせて貼付した例を図８に示す。実施例１に比べると、部位６６ｃはシール６６の他の部位よりも薄くて他端面６６ｂの断面積が小さくなっており、しかも部位６６ｃが壁部６０等の近傍に位置している。そのため、シール６６の重複部位が相殺されて外周面がより滑らかになることから、遊技者等から見れば継ぎ目をより目立たなくできる。一端面６６ａを壁部６４，７２に突き合わせて貼付した例については図示しないが、図８とは向きが逆になるだけであるので、図８の場合と作用効果が得られる。
【００４０】
上述した実施例２によれば、以下に示す各効果を得ることができる。
（ｂ１）シール６６は、リール１４，２０，２６，３２，３８，４４の表面に貼付して重複する部位の厚みを他の部位よりも薄く形成した｛図５（Ａ），図５（Ｃ）を参照｝。リール１４，２０，２６，３２，３８，４４の表面に貼付したシール６６の重複部位は壁部６０，６４，７０，７２の近傍に生ずるが、当該重複部位に対応した部位６６ｃのシール６６は他の部位よりも薄く形成したので、外周面がより滑らかになる。したがって、遊技者等から見れば継ぎ目をより目立たなくすることができる。
（ｂ２）その他の要件，構成，作用，作動結果等については実施例１と同様であるので、当該実施例１と同様の効果が得られる｛上述した事項（ａ１）〜（ａ３）を参照｝。
【他の実施例】
【００４１】
以上、本発明を実施するための最良の形態について実施例１，２に従って説明したが、本発明は当該実施例に何ら限定されるものではない。言い換えれば、本発明の要旨を逸脱しない範囲内において、種々なる形態で実施することが可能である。例えば、次に示す各形態を実現してもよい。
【００４２】
（ｃ１）上述した実施例１，２では、パチンコ機に本発明を適用した。この形態に代えて、パチンコ機以外の他の遊技機（例えばスロットマシン，アレンジボール機，雀球遊技機等）であって、モータ１８，２４，３０，３６，４２，４８（回転手段）によってリール１４，２０，２６，３２，３８，４４を回転させることで図柄の変動表示を実現するように構成したものにも同様に本発明を適用することができる。
当該他の遊技機であっても、向きを異ならせて配置したリール（リール１４，２０，２６とリール３２，３８，４４）について部品を共通化して複数の回転方向で使用できるので、部品の種類を減らしてコストを低減させることができる。シール６６の重複部位がリールの外周側に突出することが極力抑えられるので、シール６６の端面に生ずる空気抵抗を減らし、シール６６を剥がれにくくすることができる。
【００４３】
（ｃ２）上述した実施例１，２では、一の凹部６０ａ（あるいは一の凹部６４ａ等）に対応して一の壁部６０を形成する構成とした｛図３（Ｂ），図６，図８を参照｝。この形態に代えて、一の凹部に対して複数の壁部を形成する構成としてもよい。シール６６を貼付する方向に階段状に複数の壁部を形成した例を図９に示す。図９（Ａ）に示す例では、一の凹部６０ａに対して壁部６０と壁部７４とを形成し、しかも壁部６０および壁部７４を階段状に設けている。シール６６の厚みが段差ｄ２とほぼ等しいときは一端面６６ａを壁部６０に突き合わせて貼付すればよく、同じく段差ｄ４（ただしｄ４＞ｄ２）ほぼ等しいときは一端面６６ａを壁部７４に突き合わせて貼付すればよい。複数の厚みからなるシール６６をリール１４，２０，２６，３２，３８，４４に貼付しても、重複部位がリールの外周側に突出することが極力抑えられる。したがって、シール６６の端面に生ずる空気抵抗を減らし、シール６６を剥がれにくくすることができる。
【００４４】
本例では２段階で壁部６０，７４を外周に沿って階段状に形成したが、３段階以上で複数の壁部を外周に沿って階段状に形成してもよい。また、一の壁部６０について３段階で階段状に形成した例を図９（Ｂ）に示す。図９（Ｂ）では段差が分かるように、リール本体５２の一部分を拡大して図示する。図９（Ｂ）に示す壁部６０は、段差ｄ２からなる部分６０ｂと、段差ｄ４からなる部分６０ｃと、段差ｄ６からなる部分６０ｃとを階段状に形成している。シール６６を壁部６０に突き合わせて貼付するとき、シール６６の厚みに見合う壁部６０の部分を選択する。ただし、いずれか一の部分に適応するようにシール６６の一端面６６ａの形状を切り欠く必要がある。これらの形態によれば、シール６６の厚みについて貼付可能な種類を増やせる。
【００４５】
（ｃ３）上述した実施例１，２では、壁部６０と壁部６４とで挟む範囲は基準半径となる半径Ｒｓになるようにリール本体５２の外周面を構成した｛図３（Ｂ）を参照｝。この形態に代えて、図１０に示すように、壁部６０と壁部６４とで挟む範囲については半径Ｒｂ（ただしＲｂ＜Ｒｓ）となるようにリール本体５２の外周面を構成してもよい。図３に示すリール１４と対比してみると、図１０に示すリール１４ではシール６６を貼付する方向を同じとした場合における壁部６０および壁部６４の位置が逆になる。この構成例における壁部６０と壁部６４とで挟む範囲は、リール１４の中心軸からみると角度θｂで示す範囲になり、所定範囲および窪み部に相当する。当該範囲を窪ませたことによって、一端側には壁部６０が形成され、他端側には壁部６４が形成されたといえる。ところで角度θｂが小さ過ぎた場合には、シール６６が窪み部の外周面に接触しなくなるので、逆に目立つようになる。よって遊技者等に目立たなくするには、角度θｂはシール６６が窪み部の外周面に接触する角度（例えば３０度）以上を確保する必要がある。
一方、図１０（Ｂ）において半径Ｒｓと半径Ｒｂとを逆にすると、壁部６０と壁部６４とで挟む範囲（窪み部）の外周面が基準となるので、中心軸からみた角度θｃの範囲が基準よりも突出させた部位となる。当該角度θｃの場合も遊技者等に目立たなくするためには、角度θｂと同様に所定角度以上を確保する必要がある。
【００４６】
（ｃ４）上述した実施例１，２では、起立壁に相当する壁部６０，６４，７０，７２をリール１４，２０，２６，３２，３８，４４の中心軸とほぼ並行に形成する構成とした｛図２，図３，図７を参照｝。この形態に代えて、壁部６０，６４，７０，７２等をリール１４，２０，２６，３２，３８，４４の中心軸と交差するように形成する構成としてもよい。例えば図１１（Ａ）に示すように、リール１４の中心軸に対して壁部６０，６４が斜めになるように形成する。このように形成した場合には、図５に示すような長方形状のシール６６を貼付することはできない。そこで、図１１（Ｂ）および図１１（Ｃ）に示すような平行四辺形状のシール６６を製作して貼付する。本形態によれば、遊技者等から見た継ぎ目が斜めになって目立たなくなる。
【００４７】
（ｃ５）上述した実施例１，２では、リール１４，２０，２６，３２，３８，４４に本発明を適用したが｛図２，図３等を参照｝、シール６６を貼付可能な他の部材にも本発明を適用することが可能である。当該他の部材としては、例えばドラムリールや帯状のベルト等が該当する。他の部材を適用した場合でも部品を共通化して複数の回転方向で使用できるので、部品の種類を減らしてコストを低減させることができる。またシール６６の重複部位がリールの外周側に突出することが極力抑えられるので、シール６６の端面に生ずる空気抵抗を減らし、シール６６を剥がれにくくすることができる。
【００４８】
（ｃ６）上述した実施例１，２では、リールの接続部をモータの回転軸に直接的に接続する構成としたが｛図４を参照｝、当該接続部に接続可能な軸を有する動力伝達機構を介してモータの回転軸に間接的に接続する構成としてもよい。当該動力伝達機構としては、例えばギア（歯車），リンク部材，ベルト，チェーン等を用いた機構や、トルクコンバータなどが該当する。この構成であっても結果的にはリールを回転させることができるので、実施例１，２と同様の効果を得ることができる。
【図面の簡単な説明】
【００４９】
【図１】パチンコ機に備える遊技盤の概略構成例を示す正面図である。
【図２】リールの外観を説明する図である。
【図３】リールの構造を説明する図である。
【図４】リールとモータとを接続する例を示す図である。
【図５】シールの構成例を示す図である。
【図６】シールをリールに貼付した状態を示す断面図である。
【図７】リールの構造を説明する図である。
【図８】シールをリールに貼付した状態を示す断面図である。
【図９】壁部を階段状に構成した例を示す断面図である。
【図１０】リールの構造を説明する図である。
【図１１】リールの構造を説明する図である。
【符号の説明】
【００５０】
１０  遊技盤（遊技機）
１２  液晶表示器
１４，２０，２６，３２，３８，４４  リール
１６，２２，２８，３４，４０，４６  表示窓（所定位置）
１８，２４，３０，３６，４２，４８  モータ（回転手段）
１８ａ，２４ａ，３０ａ，３６ａ，４２ａ，４８ａ  回転軸
５０，５４  ガイド部
５２  リール本体
５６  接続部
５８  補強板
６０，７０  壁部（第１起立壁，起立壁）
６０ａ  凹部（第１窪み部，窪み部）
６４，７２  壁部（第２起立壁，起立壁）
６２  側板
６４ａ  凹部（第２窪み部，窪み部）
６６  シール（図柄フィルム）
６６ａ，６６ｂ  端面（一端面）
６６ｃ  部位
６８  図柄
７４，７６  壁部（起立壁）
【図１】
2005143885.tif 000003
【図２】
2005143885.tif 000004
【図３】
2005143885.tif 000005
【図４】
2005143885.tif 000006
【図５】
2005143885.tif 000007
【図６】
2005143885.tif 000008
【図７】
2005143885.tif 000009
【図８】
2005143885.tif 000010
【図９】
2005143885.tif 000011
【図１０】
2005143885.tif 000012
【図１１】
2005143885.tif 000013